【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
分割されたブロック単位で画像の復号化を行う画像復号化装置であって、
対象ブロックのブロック分割情報を復号化する復号化部と、
前記ブロック分割情報に基づいて所定サイズの矩形に再帰的に前記画像を分割して前記対象ブロックを生成するブロック分割部とを備え、
前記ブロック分割部は、
再帰的分割における前記対象ブロックを水平方向と垂直方向とを各々半分に４分割して４つのブロックを生成する４分割部と、
再帰的分割における前記対象ブロックを水平方向または垂直方向に２分割または３分割して２つまたは３つのブロックを生成する２−３分割部とを含み、
前記２−３分割部は、前記対象ブロックを水平方向の分割線で２分割したとすると、分割された前記対象ブロックがピクチャ境界の右側を超える場合は、前記対象ブロックを水平方向の分割線で分割することを禁止して垂直方向の分割線で分割することを許可し、
前記対象ブロックを垂直方向の分割線で２分割したとすると、分割された前記対象ブロックがピクチャ境界の下側を超える場合は、前記対象ブロックを垂直方向の分割線で分割することを禁止して水平方向の分割線で分割することを許可する、
ことを特徴とする画像復号化装置。
【請求項２】
前記２−３分割部は、前記対象ブロックをいずれかの方向に２分割したとすると、分割された前記対象ブロックがピクチャ境界の右下側を超える場合は、前記対象ブロックを２分割することを禁止する、
ことを特徴とする請求項１に記載の画像復号化装置。
【請求項３】
前記２−３分割部は、前記対象ブロックをいずれかの方向に３分割したとすると、分割された前記対象ブロックがピクチャ境界を超える場合は、前記対象ブロックを３分割することを禁止する、
ことを特徴とする請求項１に記載の画像復号化装置。
【請求項４】
分割されたブロック単位で画像の復号化を行う画像復号化方法であって、
対象ブロックのブロック分割情報を復号化する復号化ステップと、
前記ブロック分割情報に基づいて所定サイズの矩形に再帰的に前記画像を分割して前記対象ブロックを生成するブロック分割ステップとを備え、
前記ブロック分割ステップは、
再帰的分割における前記対象ブロックを水平方向と垂直方向とを各々半分に４分割して４つのブロックを生成する４分割ステップと、
再帰的分割における前記対象ブロックを水平方向または垂直方向に２分割または３分割して２つまたは３つのブロックを生成する２−３分割ステップとを含み、
前記２−３分割ステップは、
前記対象ブロックを水平方向の分割線で２分割したとすると、分割された前記対象ブロックがピクチャ境界の右側を超える場合は、前記対象ブロックを水平方向の分割線で分割することを禁止して垂直方向の分割線で分割することを許可し、前記対象ブロックを垂直方向の分割線で２分割したとすると、分割された前記対象ブロックがピクチャ境界の下側を超える場合は、前記対象ブロックを垂直方向の分割線で分割することを禁止して水平方向の分割線で分割することを許可する、
ことを特徴とする画像復号化方法。
【請求項５】
分割されたブロック単位で画像の復号化を行う画像復号化プログラムであって、
対象ブロックのブロック分割情報を復号化する復号化ステップと、
前記ブロック分割情報に基づいて所定サイズの矩形に再帰的に前記画像を分割して前記対象ブロックを生成するブロック分割ステップとを備え、
前記ブロック分割ステップは、
再帰的分割における前記対象ブロックを水平方向と垂直方向とを各々半分に４分割して４つのブロックを生成する４分割ステップと、
再帰的分割における前記対象ブロックを水平方向または垂直方向に２分割または３分割して２つまたは３つのブロックを生成する２−３分割ステップとを含み、
前記２−３分割ステップは、
前記対象ブロックを水平方向の分割線で２分割したとすると、分割された前記対象ブロックがピクチャ境界の右側を超える場合は、前記対象ブロックを水平方向の分割線で分割することを禁止して垂直方向の分割線で分割することを許可し、前記対象ブロックを垂直方向の分割線で２分割したとすると、分割された前記対象ブロックがピクチャ境界の下側を超える場合は、前記対象ブロックを垂直方向の分割線で分割することを禁止して水平方向の分割線で分割することを許可する、
ことを特徴とする画像復号化プログラム。
【請求項６】
分割されたブロック単位で画像の符号化を行う画像符号化装置であって、
対象ブロックのブロック分割情報を符号化する符号化部と、
前記ブロック分割情報に基づいて所定サイズの矩形に再帰的に前記画像を分割して前記対象ブロックを生成するブロック分割部とを備え、
前記ブロック分割部は、
再帰的分割における前記対象ブロックを水平方向と垂直方向とを各々半分に４分割して４つのブロックを生成する４分割部と、
再帰的分割における前記対象ブロックを水平方向または垂直方向に２分割または３分割して２つまたは３つのブロックを生成する２−３分割部とを含み、
前記２−３分割部は、前記対象ブロックを水平方向の分割線で２分割したとすると、分割された前記対象ブロックがピクチャ境界の右側を超える場合は、前記対象ブロックを水平方向の分割線で分割することを禁止して垂直方向の分割線で分割することを許可し、
前記対象ブロックを垂直方向の分割線で２分割したとすると、分割された前記対象ブロックがピクチャ境界の下側を超える場合は、前記対象ブロックを垂直方向の分割線で分割することを禁止して水平方向の分割線で分割することを許可する、
ことを特徴とする画像符号化装置。
【請求項７】
前記２−３分割部は、前記対象ブロックをいずれかの方向に２分割したとすると、分割された前記対象ブロックがピクチャ境界の右下側を超える場合は、前記対象ブロックを２分割することを禁止する、
ことを特徴とする請求項６に記載の画像符号化装置。
【請求項８】
前記２−３分割部は、前記対象ブロックをいずれかの方向に３分割したとすると、分割された前記対象ブロックがピクチャ境界を超える場合は、前記対象ブロックを３分割することを禁止する、
ことを特徴とする請求項６に記載の画像符号化装置。
【請求項９】
分割されたブロック単位で画像の符号化を行う画像符号化方法であって、
対象ブロックのブロック分割情報を符号化する符号化ステップと、
前記ブロック分割情報に基づいて所定サイズの矩形に再帰的に前記画像を分割して前記対象ブロックを生成するブロック分割ステップとを備え、
前記ブロック分割ステップは、
再帰的分割における前記対象ブロックを水平方向と垂直方向とを各々半分に４分割して４つのブロックを生成する４分割ステップと、
再帰的分割における前記対象ブロックを水平方向または垂直方向に２分割または３分割して２つまたは３つのブロックを生成する２−３分割ステップとを含み、
前記２−３分割ステップは、
前記対象ブロックを水平方向の分割線で２分割したとすると、分割された前記対象ブロックがピクチャ境界の右側を超える場合は、前記対象ブロックを水平方向の分割線で分割することを禁止して垂直方向の分割線で分割することを許可し、前記対象ブロックを垂直方向の分割線で２分割したとすると、分割された前記対象ブロックがピクチャ境界の下側を超える場合は、前記対象ブロックを垂直方向の分割線で分割することを禁止して水平方向の分割線で分割することを許可する、
ことを特徴とする画像符号化方法。
【請求項１０】
分割されたブロック単位で画像の符号化を行う画像符号化プログラムであって、
対象ブロックのブロック分割情報を符号化する符号化ステップと、
前記ブロック分割情報に基づいて所定サイズの矩形に再帰的に前記画像を分割して前記対象ブロックを生成するブロック分割ステップとを備え、
前記ブロック分割ステップは、
再帰的分割における前記対象ブロックを水平方向と垂直方向とを各々半分に４分割して４つのブロックを生成する４分割ステップと、
再帰的分割における前記対象ブロックを水平方向または垂直方向に２分割または３分割して２つまたは３つのブロックを生成する２−３分割ステップとを含み、
前記２−３分割ステップは、
前記対象ブロックを水平方向の分割線で２分割したとすると、分割された前記対象ブロックがピクチャ境界の右側を超える場合は、前記対象ブロックを水平方向の分割線で分割することを禁止して垂直方向の分割線で分割することを許可し、前記対象ブロックを垂直方向の分割線で２分割したとすると、分割された前記対象ブロックがピクチャ境界の下側を超える場合は、前記対象ブロックを垂直方向の分割線で分割することを禁止して水平方向の分割線で分割することを許可する、
ことを特徴とする画像符号化プログラム。